(57)【要約】  車両の外部に提示する情報を表示するための複数の表示データの中から、トラブル検出部（１）により検出されたトラブルに対応する表示データを選択する表示データ選択部（４）を設け、情報表示部（１１）が、表示データ選択部（４）により選択された表示データにしたがって車両の外部に向けて情報を表示するように構成する。これにより、トラブルの発生時に、トラブルの内容を他の車両の乗員や歩行者に知らせることができるようになる。
2017138146.tif 000002
【特許請求の範囲】
【請求項１】
車両又は前記車両内の乗員のトラブルを検出するトラブル検出部と、
前記車両の外部に提示する情報を表示するための複数の表示データの中から、前記トラブル検出部により検出されたトラブルに対応する表示データを選択する表示データ選択部と、
前記表示データ選択部により選択された表示データにしたがって車両の外部に向けて情報を表示する情報表示部と
を備えた情報表示装置。
【請求項２】
前記表示データが、前記車両の外部に提示する情報を含むアニメーションの表示データであり、
前記情報表示部は、前記表示データ選択部により選択された表示データにしたがって車両の外部に向けてアニメーションを表示することを特徴とする請求項１記載の情報表示装置。
【請求項３】
前記表示データ選択部により選択された表示データを加工する表示データ加工部を備え、
前記情報表示部は、前記表示データ加工部により加工された表示データにしたがって車両の外部に向けて情報を表示することを特徴とする請求項１記載の情報表示装置。
【請求項４】
前記車両の周辺に存在している他の車両又は歩行者が走行中であるか否かを判定する走行判定部を備え、
前記表示データ加工部は、前記走行判定部の判定結果にしたがって前記表示データ選択部により選択された表示データを加工することを特徴とする請求項３記載の情報表示装置。
【請求項５】
前記車両の周辺に存在している物体が他の車両であるのか、歩行者であるのかを判別する物体判別部を備え、
前記表示データ加工部は、前記物体判別部の判別結果にしたがって前記表示データ選択部により選択された表示データを加工することを特徴とする請求項３記載の情報表示装置。
【請求項６】
前記情報の提示対象として、前記車両の周辺に存在している他の車両又は歩行者を検出する提示対象検出部を備え、
前記表示データ選択部は、前記提示対象検出部により提示対象が検出された場合、前記複数の表示データの中から、前記提示対象の存在を認識している旨を示す情報を表示するための表示データを選択することを特徴とする請求項１記載の情報表示装置。
【請求項７】
前記提示対象検出部は、前記提示対象の動きを監視し、
前記情報表示部は、前記表示データ選択部により選択された表示データにしたがって前記提示対象検出部により監視されている提示対象の動きに連動するアニメーションを表示することを特徴とする請求項６記載の情報表示装置。
【請求項８】
前記情報表示部は、前記提示対象検出部による提示対象の認識精度に対応する表現で情報を表示することを特徴とする請求項６記載の情報表示装置。
【請求項９】
トラブル検出部が、車両又は前記車両内の乗員のトラブルを検出し、
表示データ選択部が、前記車両の外部に提示する情報を表示するための複数の表示データの中から、前記トラブル検出部により検出されたトラブルに対応する表示データを選択し、
情報表示部が、前記表示データ選択部により選択された表示データにしたがって車両の外部に向けて情報を表示する
情報表示方法。
【発明の詳細な説明】
【技術分野】
【０００１】
この発明は、車両の外部に情報を表示する情報表示装置及び情報表示方法に関するものである。
【背景技術】
【０００２】
以下の特許文献１には、車両の外部に情報を表示する情報表示装置が開示されている。
この情報表示装置は、歩行者と自車両が接触する危険度を判別し、歩行者と自車両が接触する可能性が高い状況であるとき、「飛び出し注意」などの文字を表示する。
【先行技術文献】
【特許文献】
【０００３】
【特許文献１】特開２００９−２１７４９５号公報
【発明の概要】
【発明が解決しようとする課題】
【０００４】
従来の情報表示装置は以上のように構成されているので、歩行者と自車両が接触する可能性が高い状況であることを報知することができる。しかし、車両のタイヤのパンクや車体の破損などの車両のトラブルが発生しても、そのトラブルが発生している旨を示す情報を報知することができない。このため、他の車両や歩行者が、トラブルが発生している車両に近づいてしまって、不測の事故に巻き込まれてしまうことがあるという課題があった。【０００５】
この発明は上記のような課題を解決するためになされたもので、トラブルの発生時に、トラブルの内容を他の車両の乗員や歩行者に知らせることができる情報表示装置及び情報表示方法を得ることを目的とする。
【課題を解決するための手段】
【０００６】
この発明に係る情報表示装置は、車両又は車両内の乗員のトラブルを検出するトラブル検出部と、車両の外部に提示する情報を表示するための複数の表示データの中から、トラブル検出部により検出されたトラブルに対応する表示データを選択する表示データ選択部とを設け、情報表示部が、表示データ選択部により選択された表示データにしたがって車両の外部に向けて情報を表示するようにしたものである。
【発明の効果】
【０００７】
この発明によれば、車両の外部に提示する情報を表示するための複数の表示データの中から、トラブル検出部により検出されたトラブルに対応する表示データを選択する表示データ選択部を設け、情報表示部が、表示データ選択部により選択された表示データにしたがって車両の外部に向けて情報を表示するように構成したので、トラブルの発生時に、トラブルの内容を他の車両の運転者や歩行者に知らせることができる効果がある。
【図面の簡単な説明】
【０００８】
【図１】この発明の実施の形態１による情報表示装置を示す構成図である。
【図２】この発明の実施の形態１による情報表示装置のハードウェア構成図である。
【図３】情報表示装置がソフトウェアやファームウェアなどで実現される場合のコンピュータのハードウェア構成図である。
【図４】この発明の実施の形態１による情報表示装置の処理手順である情報表示方法を示すフローチャートである（その１）。
【図５】この発明の実施の形態１による情報表示装置の処理手順である情報表示方法を示すフローチャートである（その２）。
【図６】トラブルの一例を示す説明図である。
【図７】車両の外見から判別可能なトラブルの内容を伝える情報の表示例を示す説明図である。
【図８】図８Ａ及び図８Ｃは車両のトラブルがキー閉じ込みである例を示す説明図、図８Ｂは車両のトラブルがガソリンの不足又はモータ駆動用電池の充電不足である例を示す説明図、図８Ｄは車両のトラブルがバッテリー上がりである例を示す説明図である。
【図９】図９Ａは乗員のトラブルが眠気である例を示す説明図、図９Ｂは乗員のトラブルが病気又は負傷である例を示す説明図である。
【図１０】表示デーによる情報の表現設定例を示す説明図である。
【図１１】この発明の実施の形態２による情報表示装置を示す構成図である。
【図１２】この発明の実施の形態２による情報表示装置のハードウェア構成図である。
【図１３】この発明の実施の形態２による情報表示装置の処理手順である情報表示方法を示すフローチャートである。
【図１４】図１４Ａは車両の側面に光が表示されるアニメーションの例を示す説明図、図１４Ｂは車両の側方の路面に光が表示されるアニメーションの例を示す説明図である。
【図１５】図１５Ａは光が消えていくアニメーションを車両の前面に表示する例を示す説明図し、図１５Ｂは光が消えていくアニメーションを車両の前方の路面に表示する例を示す説明図である。
【図１６】提示対象検出部１２による提示対象の認識精度に対応する表現を示す説明図である。
【図１７】図１７Ａは情報の表示媒体が車両のボディである例を示す説明図、図１７Ｂは情報の表示媒体が車両の窓である例を示す説明図、図１７Ｃは情報の表示媒体が複数の発光素子から構成される表示器である例を示す説明図、図１７Ｄは情報の表示媒体が車両のボディに取り付けられるディスプレイである例を示す説明図である。
【発明を実施するための形態】
【０００９】
以下、この発明をより詳細に説明するために、この発明を実施するための形態について、添付の図面にしたがって説明する。
【００１０】
実施の形態１．
図１はこの発明の実施の形態１による情報表示装置を示す構成図であり、図２はこの発明の実施の形態１による情報表示装置のハードウェア構成図である。
図１及び図２において、トラブル検出部１は情報取得部２とトラブル検出処理部３を備えており、車両又は車両内の乗員のトラブルを検出する処理を実施する。
情報取得部２は例えばＣＡＮ（Ｃｏｎｔｒｏｌｌｅｒ  Ａｒｅａ  Ｎｅｔｗｏｒｋ）などの車内ネットワークに対するインタフェース機器を備える車両情報取得回路２１で実現されるものであり、車載機器から車内ネットワークを通じて、車両の状態を示す車両情報を取得するとともに、車両の座席、ダッシュボードやハンドルなどに取り付けられている生体センサにより検出された体温、血圧、心拍数、呼吸数などを示す生体情報、体調の急変を知らせる非常ボタンの操作情報、運転者の視線方向や瞼の開閉状況を示す眼情報などを取得する処理を実施する。
【００１１】
車両情報としては、例えば、ウインカー、ハンドル、アクセル、ブレーキ、シフトレバー等の操作情報や、タイヤのパンク、車体破損、ガソリンの不足、モータ駆動用電池の充電不足、オーバヒートやバッテリー上がりなどの車両故障、キー閉じ込み、自動運転車両における車両ののっとりなどのトラブル情報を含むＣＡＮデータのほか、カーナビゲーション装置から出力される情報、車両に搭載されている接触センサから出力される情報や、車両の周囲を撮影するカメラの映像情報などが考えられる。
カーナビゲーション装置から出力される情報としては、車両の位置を示す位置情報、地図情報、車両の目的地へ至る経路を示す経路案内情報などが考えられる。
また、接触センサから出力される情報としては、例えば、ハンドル、アクセルやブレーキに対して、遊びの範囲内の操作が行われた場合の操作検知情報などが考えられる。
トラブル検出処理部３は例えば図２のトラブル検出処理回路２２で実現されるものであり、情報取得部２により取得された車両情報から車両のトラブルを検出するとともに、情報取得部２により取得された生体情報、非常ボタンの操作情報や眼情報などから車両の乗員のトラブルを検出する処理を実施する。
【００１２】
表示データ選択部４は表示データ記憶部５と表示データ選択処理部６を備えている。
表示データ記憶部５は例えば図２の表示データ記憶処理回路２３で実現されるものであり、車両及び乗員のトラブル別に、車両の外部に提示する情報を表示するための表示データを記憶している。表示データ記憶部５に記憶されている表示データは、例えば、車両の外部に提示する情報を含むアニメーションの表示データである。
表示データ選択処理部６は例えば図２の表示データ選択処理回路２４で実現されるものであり、表示データ記憶部５に記憶されている複数の表示データの中から、トラブル検出部１により検出されたトラブルに対応する表示データを選択する処理を実施する。
【００１３】
周辺状況監視部７は走行判定部８と物体判別部９を備えており、車両の周辺の状況を監視する処理を実施する。
走行判定部８は例えば図２の走行判定処理回路２５で実現されるものであり、情報取得部２により取得された車両情報のうち、車両の周囲を撮影するカメラの映像情報から、車両の周辺に存在している他の車両又は歩行者が走行中であるか否かを判定する処理を実施する。
物体判別部９は例えば図２の物体判別処理回路２６で実現されるものであり、情報取得部２により取得された車両情報のうち、車両の周囲を撮影するカメラの映像情報から、車両の周辺に存在している物体が他の車両であるのか、歩行者であるのかを判別する処理を実施する。
【００１４】
表示データ加工部１０は例えば図２の表示データ加工処理回路２７で実現されるものであり、走行判定部８の判定結果及び物体判別部９の判別結果にしたがって表示データ選択部４により選択された表示データを加工し、加工後の表示データを情報表示部１１に出力する処理を実施する。
【００１５】
情報表示部１１は例えば図２の情報表示処理回路２８で実現されるものであり、表示データ加工部１０から出力された表示データにしたがって車両の外部に向けて情報を表示する処理を実施する。
即ち、情報表示部１１は表示データ加工部１０から出力された表示データにしたがって例えばレーザ光あるいはＬＥＤ（Ｌｉｇｈｔ  Ｅｍｉｔｔｉｎｇ  Ｄｉｏｄｅ）光を車両の外部の投射面に照射することで、車両のトラブルの内容を示す情報を投射面に表示する光照射部１１ａを有している。
光の投射面として、車両の周囲の路面、車両のボディや車両の窓などが考えられ、車両のボディや窓は、車両の外部の投射面に含まれるものとする。
ここでは、情報表示部１１における情報の表示媒体が、車両の周囲の路面、車両のボディや窓の例を示しているが、例えば、ヘッドライトやストップライトなどの点灯器内や車両のボディ等に取り付けられる複数の発光素子から構成される表示器、車両のボディ等に取り付けられるディスプレイを表示媒体して、情報表示部１１が、当該表示器や当該ディスプレイに情報を表示するようにしてもよい。
図１７は情報表示部１１における情報の表示媒体の一例を示す説明図である。
図１７Ａは情報の表示媒体が車両のボディである例を示し、図１７Ｂは情報の表示媒体が車両の窓である例を示し、図１７Ｃは情報の表示媒体が複数の発光素子から構成される表示器である例を示し、図１７Ｄは情報の表示媒体が車両のボディに取り付けられるディスプレイである例を示している。
【００１６】
図１では、情報表示装置の構成要素である情報取得部２、トラブル検出処理部３、表示データ記憶部５、表示データ選択処理部６、走行判定部８、物体判別部９、表示データ加工部１０及び情報表示部１１のそれぞれが、図２に示すような専用のハードウェア、即ち、車両情報取得回路２１、トラブル検出処理回路２２、表示データ記憶処理回路２３、表示データ選択処理回路２４、走行判定処理回路２５、物体判別処理回路２６、表示データ加工処理回路２７及び情報表示処理回路２８で実現されるものを想定している。
ここで、表示データ記憶処理回路２３は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性又は揮発性の半導体メモリや、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｃ）などが該当する。
また、車両情報取得回路２１、トラブル検出処理回路２２、表示データ選択処理回路２４、走行判定処理回路２５、物体判別処理回路２６、表示データ加工処理回路２７及び情報表示処理回路２８は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、または、これらを組み合わせたものが該当する。
【００１７】
また、情報表示装置の構成要素が専用のハードウェアで実現されるものに限るものではなく、情報表示装置がソフトウェア、ファームウェア、または、ソフトウェアとファームウェアとの組み合わせで実現されるものであってもよい。
ソフトウェアやファームウェアはプログラムとして、コンピュータのメモリに格納される。コンピュータは、プログラムを実行するハードウェアを意味し、例えば、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、プロセッサ、ＤＳＰ（Ｄｉｇｉｔａｌ  Ｓｉｇｎａｌ  Ｐｒｏｃｅｓｓｏｒ）などが該当する。
図３は情報表示装置がソフトウェアやファームウェアなどで実現される場合のコンピュータのハードウェア構成図である。
情報表示装置がソフトウェアやファームウェアなどで実現される場合、表示データ記憶部５をコンピュータのメモリ４１上に構成するとともに、情報取得部２、トラブル検出処理部３、表示データ選択処理部６、走行判定部８、物体判別部９、表示データ加工部１０及び情報表示部１１の処理手順をコンピュータに実行させるためのプログラムをメモリ４１に格納し、コンピュータのプロセッサ４２がメモリ４１に格納されているプログラムを実行するようにすればよい。
図４及び図５はこの発明の実施の形態１による情報表示装置の処理手順である情報表示方法を示すフローチャートである。
【００１８】
また、図２では情報表示装置の構成要素のそれぞれが専用のハードウェアで実現される例を示し、図３では、情報表示装置がソフトウェアやファームウェアなどで実現される例を示しているが、情報表示装置における一部の構成要素が専用のハードウェアで実現され、残りの構成要素がソフトウェアやファームウェアなどで実現されるものであってもよい。
例えば、情報取得部２及び情報表示部１１を専用のハードウェアで実現し、トラブル検出処理部３、表示データ記憶部５、表示データ選択処理部６、走行判定部８、物体判別部９、表示データ加工部１０をソフトウェアやファームウェアなどで実現することが可能である。ただし、専用のハードウェアとソフトウェア等の組み合わせは任意である。
【００１９】
次に動作について説明する。
トラブル検出部１の情報取得部２は、車載機器から車内ネットワークを通じて、車両の状態を示す車両情報を取得するとともに、車両の座席、ダッシュボードやハンドルなどに取り付けられている生体センサにより検出された体温、血圧、心拍数、呼吸数などを示す生体情報、体調の急変を知らせる非常ボタンの操作情報、運転者の視線方向や瞼の開閉状況を示す眼情報などを取得する（図４のステップＳＴ１）。
この実施の形態１では、車両情報として、例えば、ＣＡＮデータのほか、車両の周囲を撮影するカメラの映像情報などを取得するものとする。
【００２０】
トラブル検出処理部３は、情報取得部２から車両情報を受けると、その車両情報の中にトラブル情報が含まれていれば、そのトラブル情報から車両のトラブルを検出する。
図６はトラブルの一例を示す説明図である。
図６では、車両のトラブルとして、タイヤのパンク、車体破損、ガソリンの不足、モータ駆動用電池の充電不足、オーバヒートやバッテリー上がりなどの車両故障、キー閉じ込み、自動運転車両における車両ののっとりを例示しているが、あくまでも一例であり、車両の他のトラブルも含まれる。
また、トラブル検出処理部３は、情報取得部２から生体情報、非常ボタンの操作情報や眼情報を受けると、その生体情報、非常ボタンの操作情報や眼情報から車両の乗員のトラブルを検出する。
図６では、乗員のトラブルとして、負傷、病気、眠気を例示しているが、あくまでも一例であり、乗員の他のトラブルも含まれる。
【００２１】
トラブル検出処理部３は、生体情報として、体温、血圧、心拍数、心拍数などの情報が含まれている場合、これらの情報を一定期間記録し、例えば、血圧の急激な上昇や低下時、心拍数の異常数が検出されたときに、乗員のトラブルとして、乗員の病気を検出するものとする。
また、トラブル検出処理部３は、情報取得部２から非常ボタンの操作情報を受けたとき、乗員のトラブルとして、乗員の負傷又は病気を検出するものとする。
また、トラブル検出処理部３は、眼情報が、一定時間以上、瞼が閉じていることを示す場合、乗員のトラブルとして、乗員の眠気を検出するものとする。
トラブル検出処理部３は、車両又は乗員のトラブルを検出すると、トラブルの検出内容を表示データ選択処理部６に通知する。
【００２２】
表示データ選択部４の表示データ記憶部５には、車両及び乗員のトラブル別に、車両の外部に提示する情報を表示するための表示データが記憶されている。
この表示データは、例えば、車両の外部に提示する情報を含むアニメーションの表示データである。アニメーションの表示データは、情報表示部１１により表示される情報である記号や図形等を時間の経過に伴って変化させる動画パターンなどのデータである。
なお、表示データは、適宜、表示データ記憶部５に追加することができる。
【００２３】
表示データ選択処理部６は、トラブル検出処理部３からトラブルの検出内容の通知を受けると（図４のステップＳＴ２：ＹＥＳの場合）、その検出内容が車両のトラブルを示していれば（ステップＳＴ３：ＹＥＳの場合）、その車両のトラブルが、車両の外見から判別可能なトラブルであるか否かを判定する。即ち、車両の外見的特徴があるトラブルであるか否かを判定する。
例えば、タイヤのパンクや車体破損などは、車両の外見に変化が現れるため、車両の外見から判別可能なトラブルであると判定される。
一方、ガソリンの不足、モータ駆動用電池の充電不足、オーバヒートやバッテリー上がりなどの車両故障は、車両の外見に変化が現れないため、車両の外見から判別不可能なトラブルであると判定される。
【００２４】
表示データ選択処理部６は、車両のトラブルが、車両の外見から判別可能なトラブルであると判定すると（ステップＳＴ４：ＹＥＳの場合）、表示データ記憶部５に記憶されている複数の表示データの中から、車両の外見から判別可能なトラブルに対応する表示データを選択する（ステップＳＴ５）。
例えば、車両のトラブルがタイヤのパンクである場合、図７に示すように、タイヤがパンクしている旨を示す情報を表示するための表示データを選択する。
図７は車両の外見から判別可能なトラブルの内容を伝える情報の表示例を示す説明図である。
図７では、車両のトラブルがタイヤのパンクである例を示しており、パンクが発生している左後輪の周囲に、タイヤのパンクの発生をイメージする情報を表示している。
タイヤのパンクの発生をイメージする情報としては、タイヤを指し示す矢印の図形などが考えられ、その図形の表示は、目立つ色での点灯表示でもよいし、点滅表示でもよい。
このような表示データにしたがって、後述する情報表示部１１が情報を表示することで、車両の周辺に存在する他の車両の乗員や歩行者に対して、直感的にトラブルが発生している箇所を認識させることができるとともに、車両に問題があることを周知させることができる。
これにより、車両の周辺に存在する他の車両や歩行者は、トラブルが発生している車両の接近を避けて、不測の事故に巻き込まれる状況の発生を回避することができる。
【００２５】
表示データ選択処理部６は、車両のトラブルが、車両の外見から判別不可能なトラブルであると判定すると（図４のステップＳＴ４：ＮＯの場合）、表示データ記憶部５に記憶されている複数の表示データの中から、車両の外見から判別不可能なトラブルに対応する表示データを選択する（ステップＳＴ６）。
図８は車両の外見から判別不可能なトラブルの内容を伝える情報の表示例を示す説明図である。
図８Ａ及び図８Ｃは車両のトラブルがキー閉じ込みである例を示し、図８Ｂは車両のトラブルがガソリンの不足又はモータ駆動用電池の充電不足である例を示し、図８Ｄは車両のトラブルがバッテリー上がりである例を示している。
【００２６】
表示データ選択処理部６は、例えば車両のトラブルがキー閉じ込みである場合、図８Ａ又は図８Ｃに示すような表示データを選択する。図８Ａでは、車両の鍵穴の周囲に、キー閉じ込みの発生をイメージする情報を表示している。図８Ｃでは、車両の後方の路面に、キー閉じ込みの発生をイメージする情報を表示している。
表示データ選択処理部６は、例えば車両のトラブルがガソリンの不足又はモータ駆動用電池の充電不足である場合、図８Ｂに示すような表示データを選択する。図８Ｂでは、車両の側方の路面に、ガソリンの不足又はモータ駆動用電池の充電不足をイメージする情報を表示している。
表示データ選択処理部６は、例えば車両のトラブルがバッテリー上がりである場合、図８Ｄに示すような表示データを選択する。図８Ｄでは、車両のボンネットに、バッテリー上がりをイメージする情報を表示している。
このような表示データにしたがって、後述する情報表示部１１が情報を表示することで、車両の周辺に存在する他の車両の乗員や歩行者に対して、外見的には問題が無いように見える車両に問題があることを周知させることができる。
これにより、例えば、トラブルの発生が原因で路上に駐車しているような場合、車両の周辺に存在する他の車両の乗員や歩行者は、そのトラブルの原因を理解した上で、通行することができる。
また、トラブルが発生している車両の乗員も、トラブルの発生を直感的に理解して、トラブルを速やかに解消することができるようになる。
【００２７】
表示データ選択処理部６は、トラブル検出処理部３から出力されたトラブルの検出内容が乗員のトラブルを示している場合（ステップＳＴ３：ＮＯの場合）、表示データ記憶部５に記憶されている複数の表示データの中から、その乗員のトラブルに対応する表示データを選択する（ステップＳＴ７）。
図９は乗員のトラブルの内容を伝える情報の表示例を示す説明図である。
図９Ａは乗員のトラブルが眠気である例を示し、図９Ｂは乗員のトラブルが病気又は負傷である例を示している。
【００２８】
表示データ選択処理部６は、例えば乗員のトラブルが眠気である場合、図９Ａに示すような表示データを選択する。図９Ａでは、車両の後方の路面に、眠気の発生をイメージする情報を表示している。
表示データ選択処理部６は、例えば乗員のトラブルが病気又は負傷である場合、図９Ｂに示すような表示データを選択する。図９Ｂでは、車両の後面の窓に、病気又は負傷の発生をイメージする情報を表示している。
このような表示データにしたがって、後述する情報表示部１１が情報を表示することで、車両の周辺に存在する他の車両の乗員や歩行者に対して、車両の乗員にトラブルが発生していることや、トラブルの内容を直感的に認識させることができる。
これにより、例えば、トラブルの発生が原因で路上に駐車しているような場合、車両の周辺に存在する他の車両の乗員や歩行者は、そのトラブルの原因を理解した上で、通行することができる。また、トラブルが発生している車両の乗員の救助を速やかに行うことができるようになる。
表示データ選択処理部６は、表示データ記憶部５に記憶されている複数の表示データの中から、車両又は乗員のトラブルに対応する表示データを選択すると、その表示データを表示データ加工部１０に出力する。
【００２９】
周辺状況監視部７の走行判定部８は、情報取得部２により取得された車両情報のうち、車両の周囲を撮影するカメラの映像情報によって車両の周辺の状況を監視する。
走行判定部８は、公知の物体認識処理アルゴリズムを実行することで、カメラの映像情報から、映像内に存在している他の車両や歩行者などを検出し、他の車両や歩行者の位置の変化を監視することで、他の車両又は歩行者が走行中であるか否かを判定する。
また、走行判定部８は、他の車両又は歩行者が走行中である場合、他の車両又は歩行者の速度が減速しているか否かを判定し、減速中であり、かつ、低速であれば、走行中ではなく、停止中であると判定するようにしてもよい。
【００３０】
周辺状況監視部７の物体判別部９は、走行判定部８と同様に、情報取得部２により取得された車両情報のうち、車両の周囲を撮影するカメラの映像情報によって車両の周辺の状況を監視する。
物体判別部９は、公知の物体認識処理アルゴリズムを実行することで、カメラの映像情報から、車両の周辺に存在している物体が他の車両であるのか、歩行者であるのかを判別する。
【００３１】
表示データ加工部１０は、表示データ選択部４から表示データを受けると、走行判定部８の判定結果及び物体判別部９の判別結果にしたがって表示データ選択部４により選択された表示データを加工し、加工後の表示データを情報表示部１１に出力する。
即ち、表示データ加工部１０は、走行判定部８の判定結果及び物体判別部９の判別結果にしたがって表示データ選択部４により選択された表示データによる情報の表現を設定する（図５のステップＳＴ８〜ＳＴ１３）。
図１０は表示データによる情報の表現設定例を示す説明図である。
図１０には、車両の周辺に存在している物体が歩行者であり、その歩行者が走行中である場合の表現設定例と、その歩行者が停止中である場合の表現設定例とが示されている。
また、図１０には、車両の周辺に存在している物体が他の車両であり、他の車両が走行中である場合の表現設定例と、他の車両が停止中である場合の表現設定例とが示されている。
図１０の例では、車両の周辺に存在している物体が他の車両である場合、歩行者である場合より、情報の表示範囲を広くしている。また、アニメーションの再生速度を速くしている。
また、車両の周辺に存在している物体が走行中である場合、停止中である場合より、情報の表示輝度を低くしている。
【００３２】
車両の周辺に存在している物体が他の車両である場合、歩行者である場合より、情報の表示範囲を広くすることで、歩行者と比べて、情報の表示に気づきづらい他の車両の乗員が、トラブルの内容を伝える情報が表示されている状況を容易に認識できるようになる。
また、車両の周辺に存在している物体が他の車両である場合、歩行者である場合より、アニメーションの再生速度を速くすることでも、他の車両の乗員が、トラブルの内容を伝える情報が表示されている状況を容易に認識できるようになる。
また、車両の周辺に存在している物体が走行中である場合、停止中である場合より、情報の表示輝度を低くすることで、走行中の他の車両の運転者や歩行者の眩惑を抑えることができるようになる。
なお、図１０に示している表示データの表現設定例は、あくまでも一例であり、他の表現設定を行ってもよいことは言うまでもない。
また、情報の表示範囲、アニメーションの再生速度及び輝度は、任意に設定することができる。
【００３３】
情報表示部１１は、表示データ加工部１０から表示データを受けると、その表示データにしたがって車両の外部に向けて情報を表示する（図５のステップＳＴ１４）。
即ち、情報表示部１１の光照射部１１ａは、表示データ加工部１０から出力された表示データにしたがって例えばレーザ光あるいはＬＥＤ光を車両の外部の投射面に照射することで、トラブルを伝える情報を投射面に表示する。
この実施の形態１では、表示データ加工部１０から出力された表示データには、アニメーションの表示データのほかに、どの位置に光を照射するかを示す照射位置情報も含まれているものとする。このため、情報表示部１１は、その照射位置情報を参照することで、光照射部１１ａによる光の照射位置を制御する。
ここでは、情報表示部１１の光照射部１１ａが車両の外部に向けて情報を表示する例を示しているが、情報表示部１１が、車両に取り付けられている複数の発光素子から構成される表示器に情報を表示するようにしてもよい。
また、情報表示部１１が、車両のボディ等に取り付けられているディスプレイに情報を表示するようにしてもよい。
なお、表示データ加工部１０から出力された表示データは、アニメーションの表示データであるため、情報表示部１１により表示される情報は、時間の経過に伴って変化するが、一定時間、同じ情報を表示するものであってもよい。
【００３４】
トラブル検出処理部３は、車両又は乗員のトラブルを検出したのち、情報取得部２から出力された車両情報を参照して、車両が動き出す、乗員が下車するなど、当該車両の状況に変化が生じていることを検知すると（ステップＳＴ１５：ＹＥＳの場合）、情報取得部２により取得されたトラブル情報や生体情報などを参照して、発生しているトラブルが解消しているか否かを判定する。
トラブル検出処理部３は、発生しているトラブルが解消していなければ（ステップＳＴ１６：ＮＯの場合）、ステップＳＴ１の処理に移行する。
トラブル検出処理部３は、発生しているトラブルが解消していれば（ステップＳＴ１６：ＹＥＳの場合）、表示中の情報を消去する指示を情報表示部１１に出力する。
情報表示部１１は、トラブル検出処理部３から情報の消去指示を受けると、表示中の情報を消去する（ステップＳＴ１７）。
【００３５】
以上で明らかなように、この実施の形態１によれば、車両の外部に提示する情報を表示するための複数の表示データの中から、トラブル検出部１により検出されたトラブルに対応する表示データを選択する表示データ選択部４を設け、情報表示部１１が、表示データ選択部４により選択された表示データにしたがって車両の外部に向けて情報を表示するように構成したので、トラブルの発生時に、トラブルの内容を他の車両の乗員や歩行者に知らせることができる効果を奏する。
【００３６】
実施の形態２．
上記実施の形態１では、車両又は乗員のトラブルを検出して、そのトラブルに対応する表示データにしたがって情報を表示するものを示したが、この実施の形態２では、さらに、車両の周辺に他の車両又は歩行者などの情報の提示対象が存在している場合、提示対象の存在を認識している旨を示す情報を表示するものについて説明する。
【００３７】
図１１はこの発明の実施の形態２による情報表示装置を示す構成図であり、図１２はこの発明の実施の形態２による情報表示装置のハードウェア構成図である。
図１１及び図１２において、図１及び図２と同一符号は同一または相当部分を示すので説明を省略する。
提示対象検出部１２は例えばＣＰＵを実装している半導体集積回路、あるいは、ワンチップマイコンなどから構成されている図１２の提示対象検出処理回路２９で実現されるものであり、情報取得部２により取得された車両情報のうち、車両の周囲を撮影するカメラの映像情報によって車両の周辺の状況を監視して、情報の提示対象として、他の車両又は歩行者を検出する処理を実施する。
また、提示対象検出部１２は他の車両又は歩行者を検出すると、その検出した他の車両又は歩行者の動きを監視する。
【００３８】
表示データ選択処理部１３は例えば図１２の表示データ選択処理回路３０で実現されるものであり、図１の表示データ選択処理部６と同様に、表示データ記憶部５に記憶されている複数の表示データの中から、トラブル検出部１により検出されたトラブルに対応する表示データを選択する処理を実施する。
ただし、表示データ選択処理部１３は図１の表示データ選択処理部６と異なり、提示対象検出部１２により提示対象が検出された場合、表示データ記憶部５に記憶されている複数の表示データの中から、提示対象の存在を認識している旨を示す情報を表示するための表示データを選択する処理を実施する。
【００３９】
情報表示部１４は例えば図１２の情報表示処理回路３１で実現されるものであり、図１の情報表示部１１と同様に、表示データ加工部１０から出力された表示データにしたがって車両の外部に向けて情報を表示する処理を実施する。
即ち、情報表示部１４は表示データ加工部１０から出力された表示データにしたがって例えばレーザ光あるいはＬＥＤ光を車両の外部の投射面に照射することで、車両のトラブルの内容を示す情報を投射面に表示する光照射部１４ａを有している。
ただし、情報表示部１４は図１の情報表示部１１と異なり、提示対象検出部１２により提示対象が検出された場合、表示データ加工部１０から出力された表示データにしたがって提示対象検出部１２により監視されている提示対象の動きに連動するアニメーションを表示する処理を実施する。
また、情報表示部１４は提示対象検出部１２による提示対象の認識精度に対応する表現で情報を表示する。
【００４０】
図１１では、情報表示装置の構成要素である情報取得部２、トラブル検出処理部３、表示データ記憶部５、表示データ選択処理部１３、走行判定部８、物体判別部９、表示データ加工部１０、提示対象検出部１２及び情報表示部１４のそれぞれが、図１２に示すような専用のハードウェア、即ち、車両情報取得回路２１、トラブル検出処理回路２２、表示データ記憶処理回路２３、表示データ選択処理回路３０、走行判定処理回路２５、物体判別処理回路２６、表示データ加工処理回路２７、提示対象検出処理回路２９及び情報表示処理回路３１で実現されるものを想定している。
ただし、情報表示装置の構成要素が専用のハードウェアで実現されるものに限るものではなく、情報表示装置がソフトウェア、ファームウェア、または、ソフトウェアとファームウェアとの組み合わせで実現されるものであってもよい。
情報表示装置がソフトウェアやファームウェアなどで実現される場合、表示データ記憶部５を図３に示すコンピュータのメモリ４１上に構成するとともに、情報取得部２、トラブル検出処理部３、表示データ選択処理部１３、走行判定部８、物体判別部９、表示データ加工部１０、提示対象検出部１２及び情報表示部１４の処理手順をコンピュータに実行させるためのプログラムをメモリ４１に格納し、コンピュータのプロセッサ４２がメモリ４１に格納されているプログラムを実行するようにすればよい。
図１３はこの発明の実施の形態２による情報表示装置の処理手順である情報表示方法を示すフローチャートである。
【００４１】
次に動作について説明する。
提示対象検出部１２、表示データ選択処理部１３及び情報表示部１４以外は上記実施の形態１と同様であるため、ここでは提示対象検出部１２、表示データ選択処理部１３及び情報表示部１４の処理内容を説明する。
【００４２】
提示対象検出部１２は、情報取得部２により取得された車両情報のうち、車両の周囲を撮影するカメラの映像情報によって車両の周辺の状況を監視する。
提示対象検出部１２は、車両の周辺に他の車両又は歩行者が存在していれば（図１３のステップＳＴ２１：ＹＥＳの場合）、公知の物体認識処理アルゴリズムを実行することで、カメラの映像情報から、情報の提示対象として、他の車両又は歩行者を検出する。
また、提示対象検出部１２は、他の車両又は歩行者を検出すると、その検出した他の車両又は歩行者の動きを監視するとともに、情報取得部２により取得された車両情報を参照して、自車両が動き出す状態であるか否かを判定する。
自車両が動き出す状態としては、例えば、自車両が停止中であるときに、ブレーキの操作が解除された場合や、右折のウインカー操作が行われた場合が考えられる。また、カメラの映像情報を解析することで、信号機が赤信号から青信号に変化したことを検知した場合なども考えられる。
一方、自車両が動き出す状態ではない状態としては、例えば、自車両が停止中であるときに、ブレーキの操作が継続している場合などが考えられる。
なお、走行中の状態は、自車両が動き出す状態に含まれるが、赤信号の信号機や横断歩道の手前に差しかかり、速度を減速している状態のときは、自車両が動き出す状態ではない状態に含まれるものとしてもよい。
【００４３】
表示データ選択処理部１３は、図１の表示データ選択処理部６と同様に、表示データ記憶部５に記憶されている複数の表示データの中から、トラブル検出部１により検出されたトラブルに対応する表示データを選択し、その表示データを表示データ加工部１０に出力する。
また、表示データ選択処理部１３は、提示対象検出部１２により提示対象が検出された場合、表示データ記憶部５に記憶されている複数の表示データの中から、提示対象の存在を認識している旨を示す情報を表示するための表示データを選択し、表示データ加工部１０を介して、その表示データを情報表示部１４に出力する。
【００４４】
ただし、表示データ選択処理部１３は、提示対象の存在を認識している旨を示す情報を表示するための表示データを選択する際、提示対象検出部１２により自車両が動き出す状態であると判定された場合には（図１３のステップＳＴ２２：ＹＥＳの場合）、例えば、図１４に示すように、自車両は走行している状態であるが、他の車両の存在を認識している旨を示す光が表示されるアニメーションの表示データを選択する（図１３のステップＳＴ２３）。
図１４は光が表示されるアニメーションの表示データの一例を示す説明図である。
図１４Ａは車両の側面に光が表示されるアニメーションの例を示し、図１４Ｂは車両の側方の路面に光が表示されるアニメーションの例を示している。
図１４Ａ及び図１４Ｂでは、他の車両である自転車の位置に連動してアニメーションの表示位置が動く表示例を示しており、他の車両の乗員は、存在を認識されていることを直感的に認識することができる。
【００４５】
表示データ選択処理部１３は、提示対象検出部１２により自車両が動き出す状態ではないと判定された場合には（図１３のステップＳＴ２２：ＮＯの場合）、例えば、図１５に示すように、自車両が走行する意思がなく、きちんと他の車両の存在を認識している旨を示す光が消えていくアニメーションの表示データを選択する（図１３のステップＳＴ２４）。
図１５は光が消えていくアニメーションの表示データの一例を示す説明図である。
図１５Ａは光が消えていくアニメーションを車両の前面に表示する例を示し、図１５Ｂは光が消えていくアニメーションを車両の前方の路面に表示する例を示している。
【００４６】
情報表示部１４は、表示データ選択処理部１３から、表示データ加工部１０を介して、提示対象の存在を認識している旨を示す情報を表示するための表示データを受けると、その表示データにしたがって提示対象検出部１２により監視されている提示対象の動きに連動するアニメーションを表示する（図１３のステップＳＴ２５）。
図１４Ａ及び図１４Ｂの例では、他の車両である自転車の位置に連動してアニメーションの表示位置が動いている。これにより、他の車両の乗員は、存在を認識されていることを直感的に認識することができる。
また、図１５Ａ及び図１５Ｂの例では、他の車両である自転車の位置に連動してアニメーションの表示位置が消えている。これにより、自車両が走行する意思がないことと、存在を認識されていることを直感的に認識することができる。
【００４７】
なお、情報表示部１４は、提示対象の存在を認識している旨を示す情報を表示する際、提示対象検出部１２による提示対象の認識精度に対応する表現で情報を表示するようにしてもよい。
図１６は提示対象検出部１２による提示対象の認識精度に対応する表現を示す説明図である。
図１６では、提示対象検出部１２による提示対象の認識精度が例えば８０〜１００％であれば、青色のアニメーションを表示し、提示対象の認識精度が例えば０〜３０％であれば、赤色のアニメーションを表示する例を示している。
これにより、他の車両の乗員は、自己の存在の認識精度を直感的に把握することができるため、例えば、認識精度が例えば０〜３０％の低精度であれば、迂闊に接近すると危険であることを認識することができる。
【００４８】
ここで、提示対象検出部１２による提示対象の認識精度の算出方法について説明する。
提示対象の認識精度の算出方法は、どのような算出方法を用いてもよいが、簡単な例としては、例えば、天候が良くて輝度が高く、最も他の車両等の検出条件が良好であると考えられるときの認識精度を１００％とする。そして、認識精度を劣化させる要因、例えば、雨、雪、雲による輝度低下、逆光、影、時間帯などの要因があれば、各要因に対応する減点の係数を、最良の１００％の認識精度に乗算することで、提示対象の認識精度を算出することができる。
また、提示対象検出部１２における他の車両や歩行者の検出確率、即ち、自車両の周辺に存在する物体が、他の車両や歩行者であるのか、その他の物体であるのかを判別できる確率に基づいて、提示対象の認識精度を算出するようにしてもよい。
【００４９】
以上で明らかなように、この実施の形態２によれば、車両の周辺の状況を監視して、情報の提示対象を検出する提示対象検出部１２を備え、提示対象検出部１２により提示対象が検出された場合、表示データ選択処理部１３が、複数の表示データの中から、提示対象の存在を認識している旨を示す情報を表示するための表示データを選択するように構成したので、情報の提示対象である他の車両の乗員や歩行者が、存在を認識されていることを直感的に認識することができる効果がある。
【００５０】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００５１】
この発明に係る情報表示装置及び情報表示方法は、車両の外部に情報を表示する用途に適している。
【符号の説明】
【００５２】
１  トラブル検出部、２  情報取得部、３  トラブル検出処理部、４  表示データ選択部、５  表示データ記憶部、６  表示データ選択処理部、７  周辺状況監視部、８  走行判定部、９  物体判別部、１０  表示データ加工部、１１  情報表示部、１１ａ  光照射部、１２  提示対象検出部、１３  表示データ選択処理部、１４  情報表示部、１４ａ  光照射部、２１  車両情報取得回路、２２  トラブル検出処理回路、２３  表示データ記憶処理回路、２４  表示データ選択処理回路、２５  走行判定処理回路、２６  物体判別処理回路、２７  表示データ加工処理回路、２８  情報表示処理回路、２９  提示対象検出処理回路、３０  表示データ選択処理回路、３１  情報表示処理回路、４１  メモリ、４２  プロセッサ。
【図１】
2017138146.tif 000003
【図２】
2017138146.tif 000004
【図３】
2017138146.tif 000005
【図４】
2017138146.tif 000006
【図５】
2017138146.tif 000007
【図６】
2017138146.tif 000008
【図７】
2017138146.tif 000009
【図８】
2017138146.tif 000010
【図９】
2017138146.tif 000011
【図１０】
2017138146.tif 000012
【図１１】
2017138146.tif 000013
【図１２】
2017138146.tif 000014
【図１３】
2017138146.tif 000015
【図１４】
2017138146.tif 000016
【図１５】
2017138146.tif 000017
【図１６】
2017138146.tif 000018
【図１７】
2017138146.tif 000019
【手続補正書】
【提出日】平成29年6月8日(2017.6.8)
【手続補正１】
【補正対象書類名】明細書
【補正対象項目名】０００６
【補正方法】変更
【補正の内容】
【０００６】
この発明に係る情報表示装置は、車両の走行に関するトラブル又は車両内の乗員のトラブルを検出するトラブル検出部と、車両の外部に提示する情報を表示するための複数の表示データの中から、トラブル検出部により検出されたトラブルに対応する表示データを選択する表示データ選択部とを設け、情報表示部が、表示データ選択部により選択された表示データにしたがって車両の外部に向けて情報を表示するようにしたものである。
【手続補正２】
【補正対象書類名】特許請求の範囲
【補正対象項目名】全文
【補正方法】変更
【補正の内容】
【特許請求の範囲】
【請求項１】
車両の走行に関するトラブル又は前記車両内の乗員のトラブルを検出するトラブル検出部と、
前記車両の外部に提示する情報を表示するための複数の表示データの中から、前記トラブル検出部により検出されたトラブルに対応する表示データを選択する表示データ選択部と、
前記表示データ選択部により選択された表示データにしたがって車両の外部に向けて情報を表示する情報表示部と
を備えた情報表示装置。
【請求項２】
前記表示データが、前記車両の外部に提示する情報を含むアニメーションの表示データであり、
前記情報表示部は、前記表示データ選択部により選択された表示データにしたがって車両の外部に向けてアニメーションを表示することを特徴とする請求項１記載の情報表示装置。
【請求項３】
前記表示データ選択部により選択された表示データを加工する表示データ加工部を備え、
前記情報表示部は、前記表示データ加工部により加工された表示データにしたがって車両の外部に向けて情報を表示することを特徴とする請求項１記載の情報表示装置。
【請求項４】
前記車両の周辺に存在している他の車両又は歩行者が走行中であるか否かを判定する走行判定部を備え、
前記表示データ加工部は、前記走行判定部の判定結果にしたがって前記表示データ選択部により選択された表示データを加工することを特徴とする請求項３記載の情報表示装置。
【請求項５】
前記車両の周辺に存在している物体が他の車両であるのか、歩行者であるのかを判別する物体判別部を備え、
前記表示データ加工部は、前記物体判別部の判別結果にしたがって前記表示データ選択部により選択された表示データを加工することを特徴とする請求項３記載の情報表示装置。
【請求項６】
前記情報の提示対象として、前記車両の周辺に存在している他の車両又は歩行者を検出する提示対象検出部を備え、
前記表示データ選択部は、前記提示対象検出部により提示対象が検出された場合、前記複数の表示データの中から、前記提示対象の存在を認識している旨を示す情報を表示するための表示データを選択することを特徴とする請求項１記載の情報表示装置。
【請求項７】
前記提示対象検出部は、前記提示対象の動きを監視し、
前記情報表示部は、前記表示データ選択部により選択された表示データにしたがって前記提示対象検出部により監視されている提示対象の動きに連動するアニメーションを表示することを特徴とする請求項６記載の情報表示装置。
【請求項８】
前記情報表示部は、前記提示対象検出部による提示対象の認識精度に対応する表現で情報を表示することを特徴とする請求項６記載の情報表示装置。
【請求項９】
トラブル検出部が、車両の走行に関するトラブル又は前記車両内の乗員のトラブルを検出し、
表示データ選択部が、前記車両の外部に提示する情報を表示するための複数の表示データの中から、前記トラブル検出部により検出されたトラブルに対応する表示データを選択し、
情報表示部が、前記表示データ選択部により選択された表示データにしたがって車両の外部に向けて情報を表示する
情報表示方法。
【手続補正書】
【提出日】平成29年8月29日(2017.8.29)
【手続補正１】
【補正対象書類名】明細書
【補正対象項目名】０００６
【補正方法】変更
【補正の内容】
【０００６】
この発明に係る情報表示装置は、車両又は車両内の乗員のトラブルを検出するトラブル検出部と、車両の外部に提示する情報を表示するための複数の表示データの中から、トラブル検出部により検出されたトラブルの内容をイメージできる画像の表示データを選択する表示データ選択部とを設け、情報表示部が、表示データ選択部により選択された表示データを路面に照射するようにしたものである。
【手続補正２】
【補正対象書類名】明細書
【補正対象項目名】０００７
【補正方法】変更
【補正の内容】
【０００７】
この発明によれば、車両の外部に提示する情報を表示するための複数の表示データの中から、トラブル検出部により検出されたトラブルの内容をイメージできる画像の表示データを選択する表示データ選択部を設け、情報表示部が、表示データ選択部により選択された表示データを路面に照射するように構成したので、トラブルの発生時に、トラブルの内容を他の車両の運転者や歩行者に知らせることができる効果がある。
【手続補正３】
【補正対象書類名】特許請求の範囲
【補正対象項目名】全文
【補正方法】変更
【補正の内容】
【特許請求の範囲】
【請求項１】
車両の走行に関するトラブル又は前記車両内の乗員のトラブルを検出するトラブル検出部と、
前記車両の外部に提示する情報を表示するための複数の表示データの中から、前記トラブル検出部により検出されたトラブルの内容をイメージできる画像の表示データを選択する表示データ選択部と、
前記表示データ選択部により選択された表示データを路面に照射する情報表示部と
を備えた情報表示装置。
【請求項２】
前記表示データがアニメーションの表示データであることを特徴とする請求項１記載の情報表示装置。
【請求項３】
前記表示データ選択部により選択された表示データを加工する表示データ加工部を備え、
前記情報表示部は、前記表示データ加工部により加工された表示データを路面に照射することを特徴とする請求項１又は請求項２に記載の情報表示装置。
【請求項４】
前記車両の周辺に存在している他の車両又は歩行者が走行中であるか否かを判定する走行判定部を備え、
前記表示データ加工部は、前記走行判定部の判定結果にしたがって前記表示データ選択部により選択された表示データを加工することを特徴とする請求項３記載の情報表示装置。
【請求項５】
前記車両の周辺に存在している物体が他の車両であるのか、歩行者であるのかを判別する物体判別部を備え、
前記表示データ加工部は、前記物体判別部の判別結果にしたがって前記表示データ選択部により選択された表示データを加工することを特徴とする請求項３記載の情報表示装置。
【請求項６】
前記情報の提示対象として、前記車両の周辺に存在している他の車両又は歩行者を検出する提示対象検出部を備え、
前記表示データ選択部は、前記提示対象検出部により提示対象が検出された場合、前記複数の表示データの中から、前記提示対象の存在を認識している旨を示す情報を表示するための表示データを選択することを特徴とする請求項１記載の情報表示装置。
【請求項７】
前記提示対象検出部は、前記提示対象の動きを監視し、
前記情報表示部は、前記表示データ選択部により選択された表示データにしたがって前記提示対象検出部により監視されている提示対象の動きに連動するアニメーションを表示することを特徴とする請求項６記載の情報表示装置。
【請求項８】
前記情報表示部は、前記提示対象検出部による提示対象の認識精度に対応する表現で情報を表示することを特徴とする請求項６記載の情報表示装置。
【請求項９】
トラブル検出部が、車両の走行に関するトラブル又は前記車両内の乗員のトラブルを検出し、
表示データ選択部が、前記車両の外部に提示する情報を表示するための複数の表示データの中から、前記トラブル検出部により検出されたトラブルの内容をイメージできる画像の表示データを選択し、
情報表示部が、前記表示データ選択部により選択された表示データを路面に照射する
情報表示方法。
【請求項１０】
車内ネットワークを通じて、車両の状態を示す複数の車両情報を取得し、取得した複数の車両情報から車両の走行に関するトラブルを検出するトラブル検出部と、
前記トラブル検出部にて検出されるトラブルに対応し、前記車両の外部に提示する情報を表示するための複数の表示データを記憶する表示データ記憶部を有し、前記表示データ記憶部に記憶された複数の表示データの中から、前記トラブル検出部により検出されたトラブルに対応する表示データを選択する表示データ選択部と、
前記表示データ選択部により選択された表示データにしたがって車両の外部に向けて情報を表示する情報表示部と
を備えた情報表示装置。
【請求項１１】
車内ネットワークを通じて、生体情報、非常ボタンの操作情報又は眼情報などの車両内の乗員の状態を示す複数の乗員情報を取得し、取得した複数の乗員情報から車両内の乗員のトラブルを検出するトラブル検出部と、
前記トラブル検出部にて検出されるトラブルに対応し、前記車両の外部に提示する情報を表示するための複数の表示データを記憶する表示データ記憶部を有し、前記表示データ記憶部に記憶された複数の表示データの中から、前記トラブル検出部により検出されたトラブルに対応する表示データを選択する表示データ選択部と、
前記表示データ選択部により選択された表示データにしたがって車両の外部に向けて情報を表示する情報表示部と
を備えた情報表示装置。
【国際調査報告】
2017138146.tif 000020
2017138146.tif 000021